(57)【要約】【課題】ブシュとピンの遊嵌部分に外リンクプレートの外方から潤滑油を十分に導入してチェーンの屈曲を円滑にすることができるとともに、製造が容易で、チェーン全体の引張り強度が低下したり、振動や騒音が増加することのないチェーンを提供すること。【解決手段】内リンクプレート１１０と外リンクプレート１２０とが交互に多数連結されているチェーン１００において、外リンクプレート１２１のピン圧入孔１２３が、内周面の少なくとも１個所に軸方向に伸びる油導入溝１２４を有していること。【選択図】図３
2010169157.tif 000002
【特許請求の範囲】
【請求項１】
前後一対のブシュ圧入孔をそれぞれ有する左右一対の内リンクプレートと、両端部が前記ブシュ圧入孔に圧入嵌着された円筒状のブシュと、前記内リンクプレートの両外側に配置され前後一対のピン圧入孔をそれぞれ有する左右一対の外リンクプレートと、前記ブシュに回転自在に嵌挿されて両端部が前記ピン圧入孔に圧入嵌着されたピンとで構成され、前記内リンクプレートと前記外リンクプレートとが交互に多数連結されているチェーンにおいて、
前記外リンクプレートのピン圧入孔が、内周面の少なくとも１個所に軸方向に伸びる油導入溝を有していることを特徴とするチェーン。
【請求項２】
前記油導入溝が、端部を広げたロート形状に形成されていることを特徴とする請求項１に記載のチェーン。
【請求項３】
前記油導入溝が、プレス加工により前記ピン圧入孔と同時に形成されていることを特徴とする請求項１または請求項２に記載のチェーン。
【請求項４】
前記油導入溝が、前記ピン圧入孔の内周面に複数個所設けられていることを特徴とする請求項１乃至請求項３のいずれかに記載のチェーン。
【請求項５】
前記油導入溝が、前記前後一対のピン圧入孔のそれぞれ対向する半円側の内周面に設けられていることを特徴とする請求項１乃至請求項４のいずれかに記載のチェーン。
【発明の詳細な説明】
【技術分野】
【０００１】
本発明は、自動車、産業用機械等の動力伝達機構あるいは搬送機構などに用いられるチェーンに関するものであって、特に、内リンクプレートと外リンクプレートとがブシュとピンにより交互に多数連結されているチェーンに関するものである。
【背景技術】
【０００２】
従来、前後一対のブシュ圧入孔をそれぞれ有する左右一対の内リンクプレートと、両端部がブシュ圧入孔に圧入嵌着された円筒状のブシュと、内リンクプレートの両外側に配置され前後一対のピン圧入孔をそれぞれ有する左右一対の外リンクプレートと、ブシュに回転自在に嵌挿されて両端部がピン圧入孔に圧入嵌着されたピンとで構成され、内リンクプレートと外リンクプレートとが交互に多数連結されているチェーンは周知である。
【０００３】
また、ブシュとピンの遊嵌部分に潤滑油を導入してチェーンの屈曲を円滑にするものも周知であり、外リンクプレートの外方からの潤滑油をより有効に導入するため、ピンに溝を設けたチェーンが公知である。
【０００４】
この公知のチェーンは、図６に示すように、ブシュ圧入孔５１３を左右一対の内リンクプレート５１１と、両端部がブシュ圧入孔５１３に圧入嵌着された円筒状のブシュ５１２と、内リンクプレート５１１の両外側に配置されピン圧入孔５２３を有する左右一対の外リンクプレート５２１と、ブシュ５１２に回転自在に嵌挿されて両端部がピン圧入孔５２３に圧入嵌着されたピン５２２とで構成され、ピン５２２の外周面には２条の螺旋溝５２６が形成されており、外リンクプレート５２１の外方から螺旋溝５２２を通してブシュ５１２とピン５２２の遊嵌部分に潤滑油を導入可能に構成されている（例えば、特許文献１参照。）。
【先行技術文献】
【特許文献】
【０００５】
【特許文献１】特開２００７−１９２３８４号公報（第７頁、図１１）
【発明の概要】
【発明が解決しようとする課題】
【０００６】
しかしながら、この公知のチェーンのピン５２２の表面に螺旋溝５２６を設けて剛性も寸法精度も高く維持したまま製造することは困難であり、ピン５２２の剛性や寸法精度が低下した場合、チェーン全体の引張り強度が低下したり、振動や騒音が増加する等の問題があった。
【０００７】
本発明は、前述したような従来技術の問題を解決するものであって、すなわち、本発明の目的は、ブシュとピンの遊嵌部分に外リンクプレートの外方から潤滑油を十分に導入してチェーンの屈曲を円滑にすることができるとともに、製造が容易で、チェーン全体の引張り強度が低下したり、振動や騒音が増加することのないチェーンを提供することである。
【課題を解決するための手段】
【０００８】
本請求項１に係る発明は、前後一対のブシュ圧入孔をそれぞれ有する左右一対の内リンクプレートと、両端部が前記ブシュ圧入孔に圧入嵌着された円筒状のブシュと、前記内リンクプレートの両外側に配置され前後一対のピン圧入孔をそれぞれ有する左右一対の外リンクプレートと、前記ブシュに回転自在に嵌挿されて両端部が前記ピン圧入孔に圧入嵌着されたピンとで構成され、前記内リンクプレートと前記外リンクプレートとが交互に多数連結されているチェーンにおいて、前記外リンクプレートのピン圧入孔が、内周面の少なくとも１個所に軸方向に伸びる油導入溝を有していることにより、前記課題を解決するものである。
【０００９】
本請求項２に係る発明は、請求項１に記載されたチェーンの構成に加えて、前記油導入溝が、端部を広げたロート形状に形成されていることにより、前記課題をさらに解決するものである。
【００１０】
本請求項３に係る発明は、請求項１または請求項２に記載されたチェーンの構成に加えて、前記油導入溝が、プレス加工により前記ピン圧入孔と同時に形成されていることにより、前記課題をさらに解決するものである。
【００１１】
本請求項４に係る発明は、請求項１乃至請求項３のいずれかに記載されたチェーンの構成に加えて、前記油導入溝が、前記ピン圧入孔の内周面に複数個所設けられていることにより、前記課題をさらに解決するものである。
【００１２】
本請求項５に係る発明は、請求項１乃至請求項４のいずれかに記載されたチェーンの構成に加えて、前記油導入溝が、前記前後一対のピン圧入孔のそれぞれ対向する半円側の内周面に設けられていることにより、前記課題をさらに解決するものである。
【発明の効果】
【００１３】
本請求項１に係る発明は、前後一対のブシュ圧入孔をそれぞれ有する左右一対の内リンクプレートと、両端部がブシュ圧入孔に圧入嵌着された円筒状のブシュと、内リンクプレートの両外側に配置され前後一対のピン圧入孔をそれぞれ有する左右一対の外リンクプレートと、ブシュに回転自在に嵌挿されて両端部がピン圧入孔に圧入嵌着されたピンとで構成され、内リンクプレートと外リンクプレートとが交互に多数連結されているチェーンにおいて、外リンクプレートのピン圧入孔が、内周面の少なくとも１個所に軸方向に伸びる油導入溝を有していることにより、油導入溝を通じてブシュとピンの遊嵌部分に外リンクプレートの外方から潤滑油を十分に導入してチェーンの屈曲を円滑にすることができるとともに、ピンに加工を施す必要がないため剛性や寸法精度が低下することはなく、チェーン全体の引張り強度が低下したり、振動や騒音が増加することのないチェーンとすることができる。
【００１４】
また、本請求項２に係る発明のチェーンは、請求項１に係るチェーンが奏する効果に加えて、油導入溝が、端部を広げたロート形状に形成されていることにより、さらに外リンクプレートの外方から潤滑油を十分に導入することができる。
【００１５】
本請求項３に係る発明のチェーンは、請求項１または請求項２に係るチェーンが奏する効果に加えて、油導入溝が、プレス加工によりピン圧入孔と同時に形成されていることにより、油導入溝を容易に精度よく形成することができるため、製造が容易でチェーン全体の引張り強度が低下したり、振動や騒音が増加することのないチェーンとすることができる。
【００１６】
本請求項４に係る発明のチェーンは、請求項１乃至請求項３のいずれかに係るチェーンが奏する効果に加えて、油導入溝が、ピン圧入孔の内周面に複数個所設けられていることにより、さらに、ブシュとピンの遊嵌部分に潤滑油を十分に導入することができるとともに、溝部を浅く形成することができ、チェーン全体の引張り強度が低下したり、振動や騒音が増加することのないチェーンとすることができる。
【００１７】
本請求項５に係る発明のチェーンは、請求項１乃至請求項４のいずれかに係るチェーンが奏する効果に加えて、油導入溝が、前記前後一対のピン圧入孔のそれぞれ対向する半円側の内周面に設けられていることにより、チェーンの引張り時に最も応力のかかるピン圧入孔の対向外側半円側において、ピンとピン圧入孔と接触面積は減少しないので、チェーン全体の引張り強度が低下したり、振動や騒音が増加することのないチェーンとすることができる。
【発明を実施するための形態】
【００１８】
本発明は、前後一対のブシュ圧入孔をそれぞれ有する左右一対の内リンクプレートと、両端部がブシュ圧入孔に圧入嵌着された円筒状のブシュと、内リンクプレートの両外側に配置され前後一対のピン圧入孔をそれぞれ有する左右一対の外リンクプレートと、ブシュに回転自在に嵌挿されて両端部がピン圧入孔に圧入嵌着されたピンとで構成され、内リンクプレートと外リンクプレートとが交互に多数連結されているチェーンにおいて、外リンクプレートのピン圧入孔が、内周面の少なくとも１個所に軸方向に伸びる油導入溝を有しており、ブシュとピンの遊嵌部分に外リンクプレートの外方から潤滑油を十分に導入してチェーンの屈曲を円滑にすることができるとともに、製造が容易で、チェーン全体の引張り強度が低下したり、振動や騒音が増加することのないチェーンを提供することができるという効果を奏するものであれば、その具体的な実施態様は如何なるものであっても何ら構わない。
【００１９】
すなわち、本発明のチェーンは、エンジンの動弁系やオイルポンプなどの補機等の従動軸を駆動するものであっても、他の動力伝達機構や搬送機構において使用されるものであっても良く、いかなる機構で使用されるものであっても良い。
また、本発明のチェーンは、ローラチェーンであっても良く、ブシュチェーンであっても良い。
【００２０】
さらに、本発明のチェーンの油導入溝は、チェーン全体の引張り強度等に影響がない範囲で、１つのピン圧入孔に１個所のみでも、複数設けられても良く、また、ピン圧入孔の内周のどの部分に設けられても良いが、特に、外リンクプレートの前後１対のピン圧入孔の中心を結ぶ線を中心とした約１２０°の範囲内に設けられれば、油導入溝によって外リンクプレートの最も幅の狭い部分が新たに生じることがなく好適である。
【実施例】
【００２１】
以下に、本発明の実施例であるチェーンについて、図面に基づいて説明する。
図１は、本発明の実施例であるチェーンの斜視図であり、図２は、本発明の実施例であるチェーンの断面図であり、図３は、本発明の一実施例であるチェーンの外リンクプレートの正面図であり、図４は、本発明の他の実施例であるチェーンの断面図であり、図５は、本発明のさらに他の実施例であるチェーンの外リンクプレートの正面図である。
【００２２】
本発明の実施例であるチェーン１００は、図１、図２に示すように、内リンク１１０と外リンク１２０が交互に多数連結されて構成されており、内リンク１１０は、それぞれ前後一対のブシュ圧入孔１１３を有する左右一対の内リンクプレート１１１と、該一対の内リンクプレート１１１のブシュ圧入孔１１３に両端部がそれぞれ嵌着固定された２本の円筒状のブシュ１１２と、両ブシュ１１２に回転自在に外嵌されたローラ１１４で構成される。
【００２３】
外リンク１２０は、それぞれ前後一対のピン圧入孔１２３を有する左右一対の外リンクプレート１２１と、該一対の外リンクプレート１２１のピン圧入孔１２３に両端部がそれぞれ嵌着固定された２本のピン１２２で構成される。
内リンク１１０と外リンク１２０が、円筒状のブシュ１１２内にピン１２２が回転自在に遊嵌されることで交互に多数連結され、チェーン１２０が構成されている。
【００２４】
次に、本発明の一実施例であるチェーンの外リンクプレート１２１について説明する。
外リンクプレート１２１は、図３に示すように、前後一対のピン圧入孔１２３の内周のそれぞれの中心点Ｃを結ぶ線上に、断面が略半円状で軸方向に伸びる油導入溝１２４を有している。
【００２５】
そして、図２に示すように、ピン圧入孔１２３にピン１２２が圧入嵌着された状態で、外リンクプレート１２１の外方から油導入溝１２４を通じてブシュ１１２とピン１２２の遊嵌部分に潤滑油が十分導入されるように構成されている。
【００２６】
チェーン１００に引張り力が加わっても、ピン１２２は何ら表面に加工が加えられておらず剛性や寸法精度は確保されており、油導入溝１２４は前後一対のピン圧入孔１２３の内周のそれぞれの中心点Ｃを結ぶ線上にあって破断の生じやすいピン圧入孔１２３の外側半円側には何ら影響を与えないため、チェーン全体の引張り強度が低下したり、振動や騒音が増加する等の問題は生じない。
【００２７】
また、油導入溝１２４は、外リンクプレート１２１の前後一対のピン圧入孔１２３を製造するプレス加工時に同時に形成されるため、製造も容易である。
【００２８】
次に、本発明の他の実施例であるチェーンの外リンクプレート２２１について、図４に基づいて説明する。
外リンクプレート２２１は、前後一対のピン圧入孔２２３の内周のそれぞれの中心点Ｃを結ぶ線上に、断面が略半円状で軸方向に伸びる油導入溝２２４を有しており、該油導入溝２２４の外方側の端部は、ロート形状部２２５を設けることで開口面積が大きくなるように構成されている。
【００２９】
このことにより、外リンクプレート２２１の外方から油導入溝２２４を通じてブシュ２１２とピン２２２の遊嵌部分に、さらに十分に潤滑油が導入される。
【００３０】
次に、本発明のさらに他の実施例であるチェーンの外リンクプレート３２１について、図５に基づいて説明する。
外リンクプレート３２１は、前後一対のピン圧入孔３２３の内周の中心を結ぶ線を中心とした約１２０°の範囲内であって、かつ、該中心点Ｃを結ぶ線を挟んで対称の位置に、断面が略半円状で軸方向に伸びる２個所の油導入溝３２４を有している。
【００３１】
このことにより、外リンクプレート３２１の外方から２個所の油導入溝３２４を通じてブシュとピンの遊嵌部分に、さらに十分に潤滑油が導入されるとともに、２個所の油導入溝３２４によって外リンクプレート３２１の最も幅の狭い部分が新たに生じることがなくないため、チェーン全体の引張り強度が低下したり、振動や騒音が増加する等の問題は生じない。
【００３２】
以上説明したように、本発明によれば、外リンクプレートのピン圧入孔が、内周面の少なくとも１個所に軸方向に伸びる油導入溝を有していることにより、油導入溝を通じてブシュとピンの遊嵌部分に潤滑油を十分に導入してチェーンの屈曲を円滑にすることができるとともに、製造が容易で、引張り強度が低下したり、振動や騒音が増加することのないチェーンとすることができるなど、その効果は甚大である。
【００３３】
なお、本発明のチェーンの外リンクプレートの油導入溝は上記実施例では断面が略半円状のものであるが、如何なる形状であっても良い。
また、油導入溝を３個所以上設けてもよく、油導入溝を増加させれば油導入溝の断面を小さく設定しても潤滑油を十分に導入することができる。
【図面の簡単な説明】
【００３４】
【図１】本発明の実施例であるチェーンの斜視図。
【図２】本発明の実施例であるチェーンの断面図。
【図３】本発明の一実施例であるチェーンの外リンクプレートの正面図。
【図４】本発明の他の実施例であるチェーンの断面図。
【図５】本発明のさらに他の実施例であるチェーンの外リンクプレートの正面図。
【図６】従来のチェーンの断面図。
【符号の説明】
【００３５】
１００                          ・・・チェーン
１１０，                        ・・・内リンク
１１１，２１１，        ５１１  ・・・内リンクプレート
１１２，２１２，        ５１２  ・・・ブシュ
１１３                          ・・・ブシュ圧入孔
１１４，２１４，        ５１４  ・・・ローラ
１２０，                ５１３  ・・・外リンク
１２１，２２１，３２１，５２１  ・・・外リンクプレート
１２２，２２２，        ５２２  ・・・ピン
１２３，２２３，３２３，５２３  ・・・ピン圧入孔
１２４，２２４，３２４          ・・・油導入溝
２２５                  ・・・ロート形状部
５２６  ・・・螺旋溝
Ｃ                              ・・・ピン圧入孔中心
【図１】
2010169157.tif 000003
【図２】
2010169157.tif 000004
【図３】
2010169157.tif 000005
【図４】
2010169157.tif 000006
【図５】
2010169157.tif 000007
【図６】
2010169157.tif 000008